【手続補正書】
【提出日】平成18年5月15日(2006.5.15)
【手続補正１】
【補正対象書類名】明細書
【補正対象項目名】特許請求の範囲
【補正方法】変更
【補正の内容】
【特許請求の範囲】
【請求項１】  一又は複数の販売者側の通信端末及び一又は複数の購入者側の通信端末と通信回線を介して接続される情報処理装置であって、
前記販売者側の通信端末から商品の販売情報、前記購入者側の通信端末から商品の購入情報を夫々受信する受信手段と、
複数の販売情報と複数の購入情報間における販売情報と購入情報との対応関係を管理可能な管理手段と、
管理手段において対応関係が管理されている販売情報と購入情報間のオークション処理を行うオークション処理手段とを有し、
前記管理手段は、前記オークション処理手段により成約処理がなされた場合、成約処理の対象となった販売情報に対応付けられる購入情報のうち成約処理の対象とならなかった購入情報と前記販売情報との対応付けを解くことを特徴とする情報処理装置。
【請求項２】  一又は複数の販売者側の通信端末及び一又は複数の購入者側の通信端末と通信回線を介して接続される情報処理装置であって、
前記販売者側の通信端末から商品の販売情報、前記購入者側の通信端末から商品の購入情報を夫々受信する受信手段と、
複数の販売情報と複数の購入情報間における販売情報と購入情報との対応関係を管理可能な管理手段と、
管理手段において対応関係が管理されている販売情報と購入情報間のオークション処理を行うオークション処理手段とを有し、
前記管理手段は、前記オークション処理手段により成約処理がなされた場合、成約処理の対象となった購入情報に対応付けられる販売情報のうち成約処理の対象とならなかった販売情報と前記購入情報との対応付けを解くことを特徴とする情報処理装置。
【請求項３】  前記オークション処理手段は、予め設定される第１の条件に応じて販売情報と購入情報との対応関係につき処理順序を決定し、前記処理順序に従って販売情報と購入情報間のオークション処理を行うことを特徴とする請求項１又は２に記載の情報処理装置。
【請求項４】  前記オークション処理手段は、予め設定される第２の条件に応じて販売情報又は購入情報につき処理順序を決定し、前記処理順序に従って販売情報と購入情報間のオークション処理を行うことを特徴とする請求項１に記載の情報処理装置。
【請求項５】  前記オークション処理手段は、予め設定される第１の条件に応じて販売情報と購入情報との対応関係につき処理順序を決定し、前記第２の条件に応じた販売情報の処理順序でオークション処理を実行する際には、前記第２の条件に応じて決定された前記処理順序を遵守しつつ、前記第１の条件に応じて決定された前記処理順序に従って販売情報と購入情報間のオークション処理を行うことを特徴とする請求項４に記載の情報処理装置。
【請求項６】  前記オークション処理手段は、前記第１の条件である複数の条件の夫々に応じた処理順序を決定し、前記決定した複数の処理順序に従って販売情報と購入情報間のオークション処理を夫々試行し、所定の目的関数が所定の条件を満たすオークション処理を採用することを特徴とする請求項３に記載の情報処理装置。
【請求項７】  前記オークション処理手段は、前記第２の条件である複数の条件の夫々に応じた処理順序を決定し、前記決定した複数の処理順序に従って販売情報と購入情報間のオークション処理を夫々試行し、所定の目的関数が所定の条件を満たすオークション処理を採用することを特徴とする請求項４に記載の情報処理装置。
【請求項８】  前記オークション処理手段は、前記第１の条件である複数の条件及び前記第２の条件である複数の条件の全組み合わせに応じた処理順序を夫々決定し、前記決定した複数の処理順序に従って販売情報と購入情報間のオークション処理を夫々試行し、所定の目的関数が所定の条件を満たすオークション処理を採用することを特徴とする請求項５に記載の情報処理装置。
【請求項９】  前記オークション処理手段は、前記第１の条件に応じて、購入希望価格が高い購入情報を含む対応関係、購入希望順位が高い購入情報を含む対応関係、及び、購入数量が多い購入情報を含む対応関係、当該情報処理装置への登録時間が早い購入情報を含む対応関係のうちの何れかの対応関係から優先させて処理する旨の処理順序を決定することを特徴とする請求項３又は５に記載の情報処理装置。
【請求項１０】  前記オークション処理手段は、前記第２の条件に応じて、当該情報処理装置への登録時間が早い購入情報又は販売情報、及び、優先順位の高い顧客の購入情報又は販売情報のうちの何れかの購入情報又は販売情報から優先させて処理する旨の処理順序を決定することを特徴とする請求項４又は５に記載の情報処理装置。
【請求項１１】  少なくとも一又は複数の販売者側の通信端末及び一又は複数の購入者側の通信端末を、通信回線を介して情報処理装置と接続した情報処理システムであって、
前記情報処理装置は、
前記販売者側の通信端末から商品の販売情報、前記購入者側の通信端末から商品の購入情報を夫々受信する受信手段と、
複数の販売情報と複数の購入情報間における販売情報と購入情報との対応関係を管理可能な管理手段と、
管理手段において対応関係が管理されている販売情報と購入情報間のオークション処理を行うオークション処理手段とを有し、
前記管理手段は、前記オークション処理手段により成約処理がなされた場合、成約処理の対象となった販売情報に対応付けられる購入情報のうち成約処理の対象とならなかった購入情報と前記販売情報との対応付けを解くことを特徴とする情報処理システム。
【請求項１２】  少なくとも一又は複数の販売者側の通信端末及び一又は複数の購入者側の通信端末を、通信回線を介して情報処理装置と接続した情報処理システムであって、
前記情報処理装置は、
前記販売者側の通信端末から商品の販売情報、前記購入者側の通信端末から商品の購入情報を夫々受信する受信手段と、
複数の販売情報と複数の購入情報間における販売情報と購入情報との対応関係を管理可能な管理手段と、
管理手段において対応関係が管理されている販売情報と購入情報間のオークション処理を行うオークション処理手段とを有し、
前記管理手段は、前記オークション処理手段により成約処理がなされた場合、成約処理の対象となった購入情報に対応付けられる販売情報のうち成約処理の対象とならなかった販売情報と前記購入情報との対応付けを解くことを特徴とする情報処理システム。
【請求項１３】  一又は複数の販売者側の通信端末から商品の販売情報、一又は複数の購入者側の通信端末から商品の購入情報を夫々受信手段にて受信し、
複数の販売情報と複数の購入情報間における販売情報と購入情報との対応関係を管理手段において管理し、
管理手段にて対応関係が管理されている販売情報と購入情報間のオークション処理を行い、
前記オークション処理により成約処理がなされた場合、成約処理の対象となった販売情報に対応付けられる購入情報のうち成約処理の対象とならなかった購入情報と前記販売情報との対応付けを解くことを特徴とする情報処理方法。
【請求項１４】  一又は複数の販売者側の通信端末から商品の販売情報、一又は複数の購入者側の通信端末から商品の購入情報を夫々受信手段にて受信し、
複数の販売情報と複数の購入情報間における販売情報と購入情報との対応関係を管理手段において管理し、
管理手段にて対応関係が管理されている販売情報と購入情報間のオークション処理を行い、
前記オークション処理により成約処理がなされた場合、成約処理の対象となった購入情報に対応付けられる販売情報のうち成約処理の対象とならなかった販売情報と前記購入情報との対応付けを解くことを特徴とする情報処理方法。
【請求項１５】  請求項１３又は１４に記載の情報処理方法をコンピュータに実行させるためのプログラム。
【手続補正２】
【補正対象書類名】明細書
【補正対象項目名】０００５
【補正方法】変更
【補正の内容】
【０００５】
【課題を解決するための手段】
本発明の情報処理装置の第１の態様は、一又は複数の販売者側の通信端末及び一又は複数の購入者側の通信端末と通信回線を介して接続される情報処理装置であって、前記販売者側の通信端末から商品の販売情報、前記購入者側の通信端末から商品の購入情報を夫々受信する受信手段と、複数の販売情報と複数の購入情報間における販売情報と購入情報との対応関係を管理可能な管理手段と、管理手段において対応関係が管理されている販売情報と購入情報間のオークション処理を行うオークション処理手段とを有し、前記管理手段は、前記オークション処理手段により成約処理がなされた場合、成約処理の対象となった販売情報に対応付けられる購入情報のうち成約処理の対象とならなかった購入情報と前記販売情報との対応付けを解くことを特徴とする。
本発明の情報処理装置の第２の態様は、一又は複数の販売者側の通信端末及び一又は複数の購入者側の通信端末と通信回線を介して接続される情報処理装置であって、前記販売者側の通信端末から商品の販売情報、前記購入者側の通信端末から商品の購入情報を夫々受信する受信手段と、複数の販売情報と複数の購入情報間における販売情報と購入情報との対応関係を管理可能な管理手段と、管理手段において対応関係が管理されている販売情報と購入情報間のオークション処理を行うオークション処理手段とを有し、前記管理手段は、前記オークション処理手段により成約処理がなされた場合、成約処理の対象となった購入情報に対応付けられる販売情報のうち成約処理の対象とならなかった販売情報と前記購入情報との対応付けを解くことを特徴とする。
本発明の情報処理システムの第１の態様は、少なくとも一又は複数の販売者側の通信端末及び一又は複数の購入者側の通信端末を、通信回線を介して情報処理装置と接続した情報処理システムであって、前記情報処理装置は、前記販売者側の通信端末から商品の販売情報、前記購入者側の通信端末から商品の購入情報を夫々受信する受信手段と、複数の販売情報と複数の購入情報間における販売情報と購入情報との対応関係を管理可能な管理手段と、管理手段において対応関係が管理されている販売情報と購入情報間のオークション処理を行うオークション処理手段とを有し、前記管理手段は、前記オークション処理手段により成約処理がなされた場合、成約処理の対象となった販売情報に対応付けられる購入情報のうち成約処理の対象とならなかった購入情報と前記販売情報との対応付けを解くことを特徴とする。
本発明の情報処理システムの第２の態様は、少なくとも一又は複数の販売者側の通信端末及び一又は複数の購入者側の通信端末を、通信回線を介して情報処理装置と接続した情報処理システムであって、前記情報処理装置は、前記販売者側の通信端末から商品の販売情報、前記購入者側の通信端末から商品の購入情報を夫々受信する受信手段と、複数の販売情報と複数の購入情報間における販売情報と購入情報との対応関係を管理可能な管理手段と、管理手段において対応関係が管理されている販売情報と購入情報間のオークション処理を行うオークション処理手段とを有し、前記管理手段は、前記オークション処理手段により成約処理がなされた場合、成約処理の対象となった購入情報に対応付けられる販売情報のうち成約処理の対象とならなかった販売情報と前記購入情報との対応付けを解くことを特徴とする。
本発明の情報処理方法の第１の態様は、一又は複数の販売者側の通信端末から商品の販売情報、一又は複数の購入者側の通信端末から商品の購入情報を夫々受信手段にて受信し、複数の販売情報と複数の購入情報間における販売情報と購入情報との対応関係を管理手段において管理し、管理手段にて対応関係が管理されている販売情報と購入情報間のオークション処理を行い、前記オークション処理により成約処理がなされた場合、成約処理の対象となった販売情報に対応付けられる購入情報のうち成約処理の対象とならなかった購入情報と前記販売情報との対応付けを解くことを特徴とする。
本発明の情報処理方法の第２の態様は、一又は複数の販売者側の通信端末から商品の販売情報、一又は複数の購入者側の通信端末から商品の購入情報を夫々受信手段にて受信し、複数の販売情報と複数の購入情報間における販売情報と購入情報との対応関係を管理手段において管理し、管理手段にて対応関係が管理されている販売情報と購入情報間のオークション処理を行い、前記オークション処理により成約処理がなされた場合、成約処理の対象となった購入情報に対応付けられる販売情報のうち成約処理の対象とならなかった販売情報と前記購入情報との対応付けを解くことを特徴とする。
本発明のプログラムは、前記情報処理方法の第１又は第２の態様をコンピュータに実行させることを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】００６７
【補正方法】変更
【補正の内容】
【００６７】
【発明の効果】
本発明によれば、複数の販売情報と複数の購入情報間における販売情報と購入情報との対応関係を管理し、対応関係が管理されている販売情報と購入情報間のオークション処理を行うように構成したので、所謂Ｎ：Ｎオークションサイトを構築・提供することが可能となる。従って、例えば購入者が複数社の商品を比較して購入したい場合には、単一のオークションサイトへアクセスを行えば良く、利便性の向上を図ることが可能となる。
また、オークション処理により成約処理の対象となった販売情報（又は、購入情報）に対応付けられる購入情報（又は、販売情報）のうち成約処理の対象とならなかった購入情報（又は、販売情報）と販売情報（又は、購入情報）との対応付けを解くように構成したので、従来よりオークション処理速度を向上させることができる。